(57)【特許請求の範囲】
【請求項１】
送話器配設部の背面側に位置して配設され内部には電池が内蔵される電池ボックスを備える携帯型無線電話機において、
電池ボックスは、電話機本体の電池収納部に対して外方へと引出し自在に構成され、該電池ボックスには、引き出した状態において電話機本体のダイヤルキー配設面側に露呈される内側表面に表示部が設けられるとともに、表面に開口する音孔からＬ字状に連通して長手方向の一端部側に開口する送話音孔が設けられた送話ガイド部が一体に膨出形成され、電池ボックスが電話機本体の外方へと引き出された状態において、この電池ボックスの表示部が形成され内側表面が電話機本体側に配設された送話器と送話ガイド部の送話音孔との間に送話ガイド空間部を構成することを特徴とする携帯型無線電話機。
【請求項２】
電池ボックスに一体に膨出形成された送話ガイド部は、送話器が配設された電話機本体の側面と対向する側面の中央部が凹部とされるとともに全体が略すり鉢状に構成されたことを特徴とする請求項１に記載の携帯型無線電話機。
【発明の詳細な説明】
【０００１】
【産業上の利用分野】
本発明は、送話器配設部の背面側に位置して配設され内部には電源電池が内蔵される電池収納部材を備える携帯型無線電話機に関し、さらに詳しくは、例えば電話番号、短縮登録電話番号或いはワンタッチダイヤル登録電話番号等の記載表示部と送話ガイド部とを備えた携帯型無線電話機に関する。
【０００２】
【従来の技術】
携帯型無線電話機は、一般に送話器配設部の背面側に位置して配設された電池収納部に電源電池である乾電池或いは充電型電池が内蔵され、通常電話機置台を兼ねた充電器に載置されて充電型電池の充電が行われるとともに、発着信に際して置台から取り上げられて手持ち操作される。電池収納部は、電話機本体の一部に電池収納凹部が形成されて電池蓋が設けられて構成された構造や、電話機本体とは別部材の電池ボックスとして構成され電話機本体に組み付けられる構造等がある。
【０００３】
また、携帯型無線電話機は、小型軽量化とともに据置型の一般電話機と同等の多機能化が図られており、「１」乃至「０」の１０個のダイヤル数字キー及び２個のダイヤル機能キーとからなるダイヤルキーばかりでなく各種の機能キーも備えられている。これらの機能キーは、例えば、特定の相手方の電話番号発進操作を簡易化する短縮登録電話番号機能或いはワンタッチダイヤル登録電話番号機能等を操作するに際しても用いられる。周知のように、短縮登録電話番号機能は、ダイヤルキーを構成するダイヤル機能キーとダイヤル数字キーとを組み合わせて使用して特定の相手方電話番号を内蔵したメモリーに予め登録し、また登録された相手方電話番号を発信する機能である。また、ワンタッチダイヤル登録電話番号機能は、割り当てられたワンタッチダイヤルキーに対応して特定の相手方電話番号を内蔵したメモリーに予め登録し、また登録された相手方電話番号を発信する機能である。
【０００４】
短縮登録電話番号機能は、電話機に搭載したメモリー手段の容量にもよるが、一般には数十箇所の電話番号の登録が可能である。また、ワンタッチダイヤル登録電話番号機能は、割り当てられたワンタッチダイヤルキーの数によって制限され、一般には２、３箇所の特定電話番号の発信が可能とされている。したがって、電話機においては、このように多数の電話番号をメモリーに登録することが可能であることから、使い勝手上、電話機の傍らに配置される何らかの対照表が必要となる。また、自動車電話番号のように多数桁の電話番号は、覚えにくいこともあり、電話機の傍らに電話帳が常備されていることが好ましい。
【０００５】
しかしながら、対照表に記載される電話番号に関する情報は、第三者には見られたくない内容である。このため、比較的大きな筐体で構成される据置型電話機においは、例えば実開昭６０−１２９７６９号「電話機の番号カード装着構造」公報に開示されるように、電話機の底面部に引出し自在な番号プレートが組み込まれ、このプレートに電話番号或いは短縮登録電話番号やワンタッチダイヤル登録電話番号の対照表を記載するように構成したものが提供されている。番号プレートは、通常電話機の底面部に収納され、必要に応じて外方へと引き出されることにより、記載された電話番号に関する情報が第三者に見られてしまうといった不都合が防止される。
【０００６】
【発明が解決しようとする課題】
しかしながら、携帯型無線電話機においては、小型軽量化が図られており、また持ち運びされることからも上述した据置型電話機に採用されるような引出し自在な番号プレートを組み込む構造の採用は不可能である。このため、携帯型無線電話機の利用者は、手帳等に短縮登録電話番号等をメモするといった使い方をしているが、手帳等を常に手元に置いておかなければならず、また手帳を置き忘れてしまって咄嗟の場合に使用できないといった事情から、かかる方法は使い勝手が極めて悪いといった問題点がある。
【０００７】
一方、携帯型無線電話機には、時計表示、カレンダ表示或いは発信ダイヤル番号の表示等を行う表示器が備えられており、この表示器を利用してメモリに登録された登録電話番号を表示することも考慮される。しかしながら、かかる登録、表示方法は、限られた機能スイッチを利用して登録操作或いは検索操作を行うことになるため、使い勝手が極めて面倒であるといった問題点がある。したがって、本発明は、小型軽量化が要求される携帯型無線電話機において、電源電池が内蔵される電池収納部材に着目し、この電池収納部材にメモリに登録された短縮電話番号等の記載表示部と送話ガイド部とを設けることによって携帯型無線電話機の基本的な仕様を変更することなく使い勝手の向上を図った携帯型無線電話機を提供することを目的に提案されたものである。
【０００８】
【課題を解決するための手段】
この目的を達成した本発明に係る携帯型無線電話機は、電源電池が内蔵される電池収納部材の構成部位を、電話機本体に対して外方へと引出し自在に構成するとともに、引き出した状態において電話機本体側のダイヤルキー配設面側に露呈される内側表面に表示部を設けて構成する。この表示部は、電話番号、短縮登録電話番号或いはワンタッチダイヤル登録電話番号等が記載されて表示される表示部として構成される。
【０００９】
電話機本体に対して引出し自在に構成された電池収納部材は、電話機本体に設けられた電池収納部を開閉し、閉塞状態において電話機本体の背面部を構成する電池蓋とされる。また、電話機本体に対して引出し自在に構成された電池収納部材は、電源電池を内蔵した電池ボックスとされる。
【００１０】
本発明に係る携帯型無線電話機は、電話機本体に対して引出し自在に構成される電池ボックスの、引き出した状態において電話機本体のダイヤル配設面側に露呈される内側表面に表示部を設けて構成する。この電池ボックスには、長手方向の一端部側に送話音孔が設けられた送話ガイド部が一体に形成される。
【００１１】
さらにまた、本発明に係る携帯型無線電話機は、電池ボックスを電話機本体に対して引出し自在に支持する棒状ガイド部材を導電性材料で形成することによって電池ボックスから電話機本体へと電源を供給する電源端子として構成する。また、棒状端子部材は、送話器と通話回路部とを接続する接続端子部として構成される。
【００１２】
さらにまた、本発明に係る携帯型無線電話機は、電池ボックスの長手方向の一端部側に送話孔が開口された送話ガイド部を一体に形成するとともに、電池ボックスを電話機本体から引き出した状態において、表示部が設けられた内側表面を送話ガイド部と送話器との送話ガイド空間部として構成する。また、送話ガイド部は、電話機本体との対向側面が全体略すり鉢状に構成される。
【００１３】
さらにまた、本発明に係る携帯型無線電話機は、電話機本体に電池収納部材の収納部に臨んでフックスイッチ手段を配設するとともに、このフックスイッチ手段に対応して電話機本体に対して外方へと引出し自在に構成された電池収納部材にフックスイッチ作動部を一体に形成する。このフックスイッチ作動部は、電池収納部材が電話機本体から引出し操作される際に、フックスイッチ手段を閉成動作させる。また、フックスイッチ作動部は、この電池収納部材の引出し方向に互いに離間して一体に形成され、電池収納部材が電話機本体に収納された状態においてフックスイッチ手段を開閉動作させる第１のフックスイッチ作動部と、電池収納部材が電話機本体から引き出された状態においてフックスイッチ手段を開閉動作させる第２のフックスイッチ作動部とから構成される。
【００１４】
【作用】
以上のように構成された本発明に係る携帯型無線電話機によれば、乾電池或いは充電型電池等の電源電池の装填或いは交換に際して電話機本体から引出し操作される電池収納部材が巧みに利用されて、電話番号或いは短縮登録電話番号やワンタッチダイヤル登録電話番号等の対照表の記録表示部が限られた形状仕様とされた電話機自体に直接構成されることにより、小型化を保持したまま使い勝手の大幅な向上が図られる。
【００１５】
また、本発明に係る携帯型無線電話機によれば、送話器と受話器との間隔によって電話機本体の大きさが決定されるが、送話ガイド部が電話機本体から引出し操作される電池ボックスに設けられることにより、電話機本体の大きさをこの電池ボックスの引出し寸法分、小型化することが可能となる。
【００１６】
さらに、本発明に係る携帯型無線電話機によれば、電池ボックスを電話機本体から引出し操作される際のガイド部材が、電池ボックスと電話機本体との電気的接続手段として兼用されるため、配線構造が複雑化するといったことも無くかつ断線等の発生も生ぜず信頼性が保持される。
【００１７】
さらにまた、本発明に係る携帯型無線電話機によれば、電池収納部の引出し操作によってフックスイッチ手段が開閉動作されることによって、電池収納部の収納、引出し状態に係わらず着信或いは発信操作が可能とされ、通話の使い勝手が損なわれるといった不都合が生じることは無い。
【００１８】
【実施例】
以下、本発明の参考例となる携帯型無線電話機について図面を参照しながら説明する。図１乃至図４に示した携帯型無線電話機１は、一方の主面３に、長手方向の上下両端部側に位置して受話器配設部６及び送話器配設部１１とが形成されるとともに、中央部の領域にはダイヤルキー９及び液晶表示器１０が配設されたアッパ筐体と、このアッパ筐体の背面開口部にロア筐体を組み合わせて電話機本体２が構成される。受話器配設部６は、主面３の上端部側から有底角筒状に膨出形成され、表面には複数の放音孔７が設けられるとともに、内部には受話器（スピーカ）８が放音面を表面に向けて収納配設されている。
【００１９】
送話器配設部１１は、受話器配設部６よりもやや低い高さ寸法を以って主面３の下端部側から有底角筒状に膨出形成され、表面には複数の音孔１２が設けられるとともに、内部には送話器（マイクロホン）１３が収納配設されている。ダイヤルキー９は、「１」乃至「０」の１０個のダイヤル数字キーと、アスタリスクマーク及びシャープマークの２個のダイヤル機能キーとから構成されている。また、液晶表示器１０は、例えば、通常は現在時刻とカレンダの表示が行われ、ダイヤルキー９の発信操作を行うことによって操作されたダイヤル数字キーに対応する数字が順次表示され、さらに通話中には通話時間の表示が行われる。
【００２０】
なお、この携帯型無線電話機１は、説明の便宜上図示を省略するが、ダイヤルキー９が配設された主面３の中央領域には通話を行う際に操作される通話スイッチキー、通話を一時保留して保留音を送出する保留スイッチキーとともに、例えば内蔵したメモリーに特定の電話番号等を登録、消去する際に操作される登録スイッチキー等の各種の機能スイッチキーが配設されている。また、この主面３の中央領域には、複数個のワンタッチダイヤルキーが配設されている。
【００２１】
電話機本体２には、主面３の内側に位置して配線基板１４が配設されている。配線基板１４には、シールド板１６によってシールドされた無線通話ユニット１５や、通話回路部１７を構成する各種の電気、電子部品やマイクロプロセッサを含む回路素子或いはメモリー素子等が搭載されている。また、配線基板１４には、上述したダイヤルキー９に対応して、ダイヤル接点がマトリックス状に印刷形成されている。さらに、配線基板１４には、液晶表示器１０及び送話器１３が実装されるとともに、図示しないリード線を介して受話器８が接続されている。
【００２２】
この携帯型無線電話機１は、特定の相手方電話番号の発信操作を簡易化するためのワンタッチダイヤル登録電話番号機能や短縮登録電話番号機能が搭載されている。ワンタッチダイヤル登録電話番号機能は、通話スイッチキーを操作した後、ワンタッチダイヤルキーを操作することによって、このワンタッチダイヤルキーに割り付けられた特定の相手方電話番号が自動発信される機能である。ワンタッチダイヤル登録電話番号は、例えば登録キースイッチを操作した状態で、ダイヤル数字キーによって特定の電話番号を操作し、しかる後ワンタッチダイヤルキーを操作することによって、内蔵したメモリーにワンタッチダイヤルキーに対応した特定の電話番号が登録される。
【００２３】
また、短縮登録電話番号機能は、通話スイッチキーを操作した後、ダイヤル機能キーと１個又は２個のダイヤル数字キーを操作することによって、操作されたダイヤル数字キーに割り付けられた特定の相手方電話番号が自動発信される機能である。短縮登録電話番号は、例えば登録キースイッチを操作した状態で、ダイヤル数字キーによって特定の電話番号を操作し、しかる後ダイヤル機能キーと１個又は２個のダイヤル数字キーを操作することによって、内蔵したメモリーにダイヤル数字キーに対応した特定の電話番号が登録される。勿論、ワンタッチダイヤル登録電話番号及び短縮登録電話番号の登録操作は、かかる方法に限定されるものでは無い。なお、この携帯型無線電話機１においては、１０箇所の短縮登録電話番号と２箇所のワンタッチダイヤル登録電話番号の登録を可能とする。
【００２４】
電話機本体２には、送話器配設部１１の背面側に位置して電池収納部１８が設けられている。電池収納部１８は、詳細な図示を省略するが、配線基板１４と接続されたコ字状の端子板１９が組み込まれており、この端子板１９に接続されるようにして充電型電池２０が装填される。充電型電池２０は、端子板１９を介して無線通話ユニット１５或いは通話回路等に電源を供給する。また、端子板１９は、図示しないが、一端部側が電話機本体２の底面部５に露呈されており、この携帯型無線電話機１を置台を兼ねた充電器に立てかけて載置することによって充電型電池２０の充電が行われるように構成されている。なお、電池収納部１８には、上述した充電型電池２０ばかりでなく乾電池の装填も可能である。
【００２５】
電池収納部１８には、充電型電池２０を内部に装填したり或いはこの充電型電池２０を交換するために、電池蓋２１が設けられている。電池蓋２１は、通常電話機本体２の背面部４の一部を構成する基部と、底面部５の一部を構成する立上り部とから構成され、電話機本体２と同一の合成樹脂材料によって成形されている。この電池蓋２１は、詳細を省略するが、基部の両側縁が電池収納部１８を構成する開口縁部に形成したスライド溝に係合されており、図３及び図４に示すように、底面部５側から引き出されることによって電池収納部１８を開放する。また、電池蓋１８は、詳細を省略するが、基部の先端側にロック片が一体に形成されており、このロック片が電池収納部１８側のロック凹部と相対係合することによって電池収納部１８を閉塞した状態に保持される。
【００２６】
さらに、電池蓋２１は、図３に示すように、電池収納部１８に収納された充電型電池２０がこの電池収納部１８から脱落しない程度まで電話機本体２から引き出された状態において、図示しないクリック手段によって一旦保持される。このように、電池蓋２１は、内側表面のほぼ半分の領域が、電話機本体２の底面部５からダイヤルキー９を配設した主面３と同一面側に位置して突出露呈される。勿論、電池蓋２１は、充電型電池２０を電池収納部１８に装填する場合や交換を行う場合には、さらに強く引き出すことによって電話機本体２から取り外すことができる。
【００２７】
電池蓋２１は、図３に示すように、内側表面の主面３と同一面側に位置して電話機本体２から突出露呈される領域に、上述した短縮登録電話番号やワンタッチダイヤル登録電話番号の対照表或いは自動車電話番号のように比較的多数桁で覚えにくい電話番号等を記載表示するための表示片２２が貼着されている。この表示片２２は、電池蓋２１の露呈された内側表面の領域とほぼ等しい外形形状を有しており、数字とこの数字に割り付けた登録電話番号を記載するための空欄が印刷形成されている。したがって、表示片２２には、電話番号や上述したワンタッチダイヤル登録電話番号或いは短縮登録電話番号の登録操作に基づいて各欄に登録電話番号が記載される。このように、携帯型無線電話機１においては、電話機本体２から引き出し自在に組み合わされた電池蓋２１の内側表面が、電話番号、短縮登録電話番号或いはワンタッチダイヤル登録電話番号等の記載表示部として構成されることになる。
【００２８】
以上のように構成された携帯型無線電話機１によれば、電話番号、短縮登録電話番号或いはワンタッチダイヤル登録電話番号等の記載表示部を、電話機本体２に対して引き出し自在に構成されかつ電話機本体２から引き出した状態においてダイヤルキー９の設置面と同一面側に位置する電池蓋２１の内側表面に構成したことにより、この記載表示部を確認しながらダイヤル操作を行うことができ、電話機の操作がごく自然である。また、電池蓋２１に構成された記載表示部は、通常電池蓋２１が電池収納部１８を閉塞した状態とされていることから、第三者に見られることも無い。
【００２９】
本発明の参考例となる携帯型無線電話機は、上述した携帯型無線電話機１に限定されるものでは無く以下の説明のように種々展開される。これら各携帯型無線電話機は、電源電池としては、充電型電池２０ばかりでなく乾電池も用いることができることは勿論であり、また記載表示部には、短縮登録電話番号或いはワンタッチダイヤル登録電話番号の対照表ばかりでなく電話番号も直接記載する等、種々の使い勝手があることは勿論である。
【００３０】
図５乃至図８に示した本発明の参考例となる別の携帯型無線電話機３０は、ダイヤルキー９が配設された主面３と対向する電話機本体２の背面部４の底面側に形成した電池収納部１８に電池ボックス３１が装着されて収納されるように構成されている。なお、この携帯型無線電話機３０は、電池収納部１８及び電池ボックス３１を除くその他の構成については上述した携帯型無線電話機１と同一の構成であり、同一符号を付すことによって説明を省略する。
【００３１】
電池収納部１８は、送話器配設部１１に対応した電話機本体２の背面部４側に位置して底面部５に開口する凹陥部として構成されている。この電池収納部１８には、図示しないが、後述する電池ボックス３１を底面部５側からスライド操作して電話機本体２に組み合わせを可能とするように、内周壁に適宜のスライドガイド手段或いは係合手段が形成されている。また、電池収納部１８は、底面部５と対向する内壁に、図示しないが電池ボックス３１の長手方向の一端側に露呈された接続端子が相対接続される端子が設けられている。さらに、電池収納部１８を構成する内面壁には、図８に示すように、金属棒等の導体材料によって形成したガイド部材３２が設けられている。
【００３２】
電池ボックス３１は、電池収納部１８の開口形状とほぼ等しい外形を有して電話機本体２と同一の合成樹脂材料によって略箱状に形成されており、内部には複数個の充電型電池２０が収納されている。電池収納部１８と電池ボックス３１には、詳細を省略するが、それぞれ相対応する位置に適宜の係合部が形成されている。したがって、電池ボックス３１は、これら係合部によって、電池収納部１８に装填した状態において電話機本体２にしっかりと保持されて収納される。また、電池ボックス３１は、電池収納部１８に収納された状態において、外周面が電話機本体２の背面部４及び底面部５の外周面と同一面を構成する。電池ボックス３１は、図示しないが、電話機本体２との組合せ側端面に電池収納部１８に設けた接続端子と相対接続される接続端子が露呈して設けられ、また底面部５側にも充電端子が露呈して設けられている。
【００３３】
したがって、電池ボックス３１は、電話機本体２に組み合わされた状態において、相対する接続端子が接続されて液晶表示器１０、無線通話ユニット１５或いは通話回路部１７等に電源を供給する。また、電池ボックス３１は、この携帯型無線電話機３０を置台を兼ねた充電器に立てかけて載置することによって充電端子を介して収納した充電型電池２０の充電が行なわれる。さらに、電池ボックス３１は、詳細な構成を省略するが、後述するように電話機本体２から引き出された状態においても、金属等の導体材料によって形成したガイド部材３２を介して電話機本体２側に電源を供給する。
【００３４】
電池ボックス３１は、図８に示すように、電池収納部１８に収納された状態から脱落しない程度の位置まで電話機本体２から引き出された状態において、図示しないクリック手段によって一旦保持される。これによって、電池ボックス３１は、内側表面３３のほぼ半分の領域が、電話機本体２の底面部５からダイヤルキー９を配設した主面３と同一面側に位置して突出露呈される。勿論、電池ボックス３１は、充電型電池２０を内部に装填する場合や交換を行う場合には、さらに強く引き出すことによって電話機本体２から取り外すことができる。
【００３５】
電池ボックス３１は、図７に示すように、内側表面３３の主面３と同一面側に位置して電話機本体２から突出露呈される領域に、短縮登録電話番号或いはワンタッチダイヤル登録電話番号の対照表等を記載表示するための表示片３４が貼着されている。この表示片３４は、電池ボックス３１の露呈された内側表面３３の領域とほぼ等しい外形形状を有しており、数字とこの数字に割り付けた登録電話番号を記載するための空欄が印刷形成されている。したがって、表示片３４には、電話番号や上述したワンタッチダイヤル登録電話番号或いは短縮登録電話番号の登録操作に基づいて各欄に登録電話番号等が記載される。このように、携帯型無線電話機３０においては、電話機本体２から引き出し自在に組み合わされた電池ボックス３１の内側表面３３が、短縮登録電話番号或いはワンタッチダイヤル登録電話番号等の記載表示部として構成されることになる。
【００３６】
以上のように構成された携帯型無線電話機３０によれば、短縮登録電話番号或いはワンタッチダイヤル登録電話番号等の記載表示部を、電話機本体２に対して引き出し自在に構成されかつこの電話機本体２から引き出した状態においてダイヤルキー９の設置面と同一面側に位置する電池ボックス３１の内側表面３３に構成したことにより、この記載表示部を確認しながらダイヤル操作を行うことができ、電話機の操作がごく自然である。また、電池ボックス３１の内側表面３３に構成された記載表示部は、通常電池ボックス３１が電池収納部１８を閉塞した状態とされていることから、第三者に見られることも無い。
【００３７】
電池ボックス３１は、電話機本体２に対して差し替え自在であるため、複数の電池ボックス毎にそれぞれ異なる記載表示部を構成することによって、より多くの情報を電話機本体に構成することが可能となる。また、携帯型無線電話機３０は、例えば発信専用として利用する場合等において、各自が電池ボックス３１を保有し、使用する都度電話機本体２に装填することによってパーソナル化が図られるといったように、電話機の新たな使用形態も展開される。
【００３８】
図９乃至図１２に示した本発明の参考例となるさらに別の携帯型無線電話機４０は、電話機本体２に形成した電池収納部１８に装填される電池ボックス４１に送話器配設部４４が一体に形成された構成に特徴を有している。また、携帯型無線電話機４０は、後述するように全体の長さ寸法が上述した携帯型無線電話機３０よりも小ならしめられて構成されている。このため、この携帯型無線電話機４０は、受話器配設部６或いはダイヤルキー９、液晶表示器１０が操作性に支障の無い範囲で幾分小型に形成されている。なお、この携帯型無線電話機４０は、電話機本体２及び電池ボックス４１を除くその他の構成については上述した携帯型無線電話機３０とほぼ同一の構成とされており、同一符号を付すことによって説明を省略する。
【００３９】
電話機本体２は、背面部４の底面側に位置して電池収納部１８が凹陥部として構成されるとともに、この電池収納部１８に連続して主面３の液晶表示器１０が配設された下方部分の領域、すなわち送話器１３が配設される送話器配設部に対応する領域も切り欠かれて構成されている。したがって、電話機本体２には、送話器１３が搭載されておらず、後述する電池ボックス４１側にこの送話器１３が配設されている。
【００４０】
電池ボックス４１は、電話機本体２と同色の合成樹脂材料によって、電池収納部１８の開口形状とほぼ等しい外形を有して略々箱状に形成されており、内部には複数個の充電型電池２０が収納されている。また、電池ボックス４１には、下方部の表面側に後述する送話器配設部４４が一体に膨出形成されている。電池収納部１８と電池ボックス４１には、詳細を省略するが、それぞれ相対応する位置に適宜の係合部が形成されている。したがって、電池ボックス４１は、これら係合部によって、電池収納部１８に収納した状態において電話機本体２にしっかりと保持され、またこの状態において、電話機本体２の主面３、背面部４及び底面部５の外周面と同一面を構成する。電池ボックス４１は、図示しないが、電話機本体２との組合せ側の端面に電池収納部１８に設けた接続端子と相対接続される接続端子が露呈して設けられ、また底面側にも充電端子が設けられている。
【００４１】
したがって、電池ボックス４１は、電話機本体２に収納した状態において、相対する接続端子が接続されて液晶表示器１０、無線通話ユニット１５或いは通話回路部１７等に電源を供給する。また、電池ボックス４１は、この携帯型無線電話機４０を置台を兼ねた充電器に立てかけて載置することによって充電端子を介して収納した充電型電池２０の充電が行なわれる。さらに、電池ボックス４１は、詳細な構成を省略するが、後述するように電話機本体２から引き出された状態においても、導体材料によって形成したガイド部材４２を介して電話機本体２側に電源を供給する。
【００４２】
電池ボックス４１は、図１２に示すように、電池収納部１８から脱落しない程度まで電話機本体２から引き出された状態において、図示しないクリック手段によって一旦保持される。このように、電池ボックス４１は、後述する送話器配設部４４と上端部との間の内側表面４３が、電話機本体２の底面部５からダイヤルキー９を配設した主面３と同一面側に位置して突出露呈される。勿論、電池ボックス４１は、充電型電池２０を内部に装填する場合や交換を行う場合には、さらに強く引き出すことによって電話機本体２から取り外すことができる。
【００４３】
電池ボックス４１は、図１１に示すように、内側表面４３の主面３と同一面側に位置して電話機本体２から突出露呈される領域に、短縮登録電話番号やワンタッチダイヤル登録電話番号を記載表示するための表示片４６が貼着されている。この表示片４６は、電池ボックス４１の露呈された内側表面４３の領域とほぼ等しい外形形状を有しており、数字とこの数字に割り付けた登録電話番号を記載するための空欄が印刷形成されている。したがって、表示片４６には、上述したワンタッチダイヤル登録電話番号或いは短縮登録電話番号の登録操作に基づいて各欄に登録電話番号が記載される。このように、携帯型無線電話機４０においては、電話機本体２から引き出し自在に組み合わされた電池ボックス４１の内側表面４３が、短縮登録電話番号或いはワンタッチダイヤル登録電話番号の記載表示部として構成されることになる。
【００４４】
送話器配設部４４は、電池ボックス４１を電話機本体２の電池収納部１８に収納した状態において、電話機本体２側の主面３から突出露呈しかつ受話器配設部６よりもやや低い高さ寸法を以って、この電池ボックス４１の表面側に有底角筒状に一体に膨出形成されている。この送話器配設部４４には、表面に複数の音孔４５が設けられるとともに、内部には送話器１３が収納配設されている。送話器１３は、後述するように電池ボックス４１が電話機本体２から引き出された状態においても、導体材料によって形成したガイド部材４２を介して電話機本体２側の通話回路部１７等と電気的な接続が保持される。なお、この送話器１３の接続用に使用されるガイド部材４２は、電源供給用に使用されるガイド部材とは異にすることは勿論である。
【００４５】
以上のように構成された携帯型無線電話機４０によれば、短縮登録電話番号或いはワンタッチダイヤル登録電話番号の記載表示部を、電話機本体２に対して引き出し自在に構成されかつこの電話機本体２から引き出した状態において、ダイヤルキー９の設置面と同一面側に位置する電池ボックス４１の内側表面４３に構成したことにより、この記載表示部を確認しながらダイヤル操作を行うことができ、電話機の操作がごく自然である。また、電池ボックス４１の内側表面４３に構成された記載表示部は、通常電池ボックス４１が電池収納部１８を閉塞した状態とされていることから、第三者に見られることも無い。
【００４６】
ところで、電話機においては、耳と口との間隔、ハウリング等の音響特性或いは耳当たり等の使用感等の条件から、受話器と送話器との間隔を１３．５ｃｍ乃至１４．３ｃｍ程度、受話器と送話器との角度を１３．４°乃至２３．３°程度に設定することが好ましいとされている。このため、電話機は、受話器と送話器との間隔によって長さ寸法の仕様が決定されることになり、携帯性が極めて悪いと言った問題がある。このため、従来より、携帯型無線電話機においては、電話機本体を折畳み自在に構成したもの、電話機本体に対して送話器部或いは受話器部を引出し自在に構成したもの等が提供されている。携帯型無線電話機４０は、上述したように、電話機本体２に対して引出し自在に構成された電池ボックス４１に着目して、この電池ボックス４１に送話器配設部４４を一体に膨出形成して送話器１３を収納し、電池収納部１８から電池ボックス４１を引き出した状態において送話器１３と受話器８との間隔を、使用上好ましい間隔に保持するように構成している。
【００４７】
すなわち、携帯型無線電話機４０は、図１０に示すように、使用状態以外の通常における長さ寸法Ｌが、一般の電話機と比較して電池ボックス４１の引出し量分短く構成されている。また、携帯型無線電話機４０は、使用状態においては、電池ボックス４１が電池収納部１８から引き出されて図１２に示すように一般の電話機と同等の長さ寸法である長さ寸法Ｍとなるように構成されている。このように、携帯型無線電話機４０は、通常状態の長さ寸法を小ならしめて構成されることによって、携帯性の向上が図られる。
【００４８】
図１３乃至図２５に示した本発明の実施例である携帯型無線電話機５０は、上述した無線携帯型電話機４０と同様に電池ボックス５１が電話機本体２に設けた電池収納部１８から引き出し自在に構成されるとともに、全体の長さ寸法が一般の電話機よりも小ならしめられて構成されているが、送話器１３は電話機本体２側に配設されている。したがって、電池ボックス５１には、使用状態において、受話器８と送話器１３との間隔を実質的に最適な間隔に保持するために送話ガイド部６０を一体に形成した構成に特徴を有している。
【００４９】
なお、携帯型無線電話機５０は、電話機本体２の長さ寸法を小ならしめられて構成したことにより、液晶表示器１０を削除して受話器配設部６或いはダイヤルキー９が無線携帯型電話機３０とほぼ同一形状のものが採用されている。勿論、無線携帯型電話機５０は、無線携帯型電話機４０と同様に構成してもよい。この携帯型無線電話機５０は、電話機本体２及び電池ボックス４１を除くその他の構成については上述した携帯型無線電話機４０とほぼ同一の構成とされており、同一符号を付すことによって説明を省略する。
【００５０】
電話機本体２は、背面部４の底面側に電池収納部１８が凹陥部として構成されるとともに、この電池収納部１８に連続して主面３のダイヤルキー９が配設された下方部分の領域も切り欠かれて構成されている。送話器１３は、図１３に示すように、この切欠き部にマイク面を向けた状態で主面３の幅方向の略中央部に位置した内面壁に一体に形成した取付け部に嵌合されて配設されている。したがって、電話機本体２には、送話器１３のための音穴は特に設けられていない。
【００５１】
電池ボックス５１は、電話機本体２と同色の合成樹脂材料によって、電池収納部１８の開口形状とほぼ等しい外形を有して略々箱状に形成されており、図１５に示すように、内部には複数個の充電型電池２０が収納されている。充電型電池２０は、図１５に示すように、電池ボックス５１の内部に直列に接続されて装填される。そして、これら充電型電池２０のプラス端子５８及びマイナス端子５９は、後述するように、電池ボックス５１の両側面部に設けたガイド凸部５６にそれぞれ組み付けられている。
【００５２】
また、電池ボックス５１には、下方部の表面側に後述する送話ガイド部６０が一体に膨出形成されている。電池ボックス５１は、詳細を後述するスライドガイド機構によって電池収納部１８から引き出し自在とされるとともに、このスライドガイド機構に設けたロック部によって電池収納部１８に収納した状態にしっかりと保持される。また、電池ボックス５１は、スライドガイド機構に設けたクリック部によって電池収納部１８から脱落しない程度まで電話機本体２から引き出された状態において、一旦保持される。
【００５３】
電池ボックス５１は、電池収納部１８に収納された状態において、電話機本体２の主面３、背面部４及び底面部５の外周面と同一面を構成する。プラス端子５８及びマイナス端子５９は、一端側が後述するように導体性材料によって形成したガイド部材５２に接続され、このガイド部材５２を介して無線通話ユニット１５或いは通話回路部１７等に電源を供給する。また、電池ボックス５１は、底面側に充電端子が設けられている。したがって、電池ボックス５１は、この実施例携帯型無線電話機５０を置台を兼ねた充電器に立てかけて載置することによって充電端子を介して収納した充電型電池２０の充電が行なわれる。さらに、電池ボックス５１は、詳細な構成を省略するが、後述するように電話機本体２から引き出された状態においても、ガイド部材５２を介して電話機本体２側に電源を供給する。
【００５４】
電池ボックス５１は、図１６に示すように、電池収納部１８から脱落しない程度まで電話機本体２から引き出されてスライドガイド機構に設けたクリック部によって保持された状態において、後述する送話ガイド部６０と上端部との間の内側表面が、電話機本体２の底面部５からダイヤルキー９を配設した主面３と同一面側に位置して突出露呈される。勿論、電池ボックス５１は、充電型電池２０を内部に装填する場合や交換を行う場合には、さらに強く引き出すことによって電話機本体２から取り外すことができる。
【００５５】
電池ボックス５１は、図１６に示すように、内側表面の主面３と同一面側に位置して電話機本体２から突出露呈される領域に、短縮登録電話番号やワンタッチダイヤル登録電話番号を記載表示するための表示片６５が貼着されている。この表示片６５は、電池ボックス５１の露呈された内側表面の領域とほぼ等しい外形形状を有しており、数字とこの数字に割り付けた登録電話番号を記載するための空欄が印刷形成されている。したがって、表示片６５には、上述したワンタッチダイヤル登録電話番号或いは短縮登録電話番号の登録操作に基づいて各欄に登録電話番号が記載される。このように、実施例携帯型無線電話機５０においては、スライドガイド機構によって電話機本体２から引き出し自在に組み合わされた電池ボックス５１の内側表面が、短縮登録電話番号或いはワンタッチダイヤル登録電話番号の記載表示部として構成されることになる。
【００５６】
したがって、実施例携帯型無線電話機５０においても、短縮登録電話番号或いはワンタッチダイヤル登録電話番号の記載表示部を、電話機本体２に対して引き出し自在に構成されかつこの電話機本体２から引き出した状態において、ダイヤルキー９の設置面と同一面側に位置する電池ボックス５１の内側表面に構成したことにより、この記載表示部を確認しながらダイヤル操作を行うことができ、電話機の操作がごく自然である。また、電池ボックス５１の内側表面に構成された記載表示部は、通常電池ボックス５１が電池収納部１８を閉塞した状態とされていることから、第三者に見られることも無い。
【００５７】
スライドガイド機構は、図１５に示すように、電話機本体２の幅方向の内側面に沿って配設した一対の棒状ガイド部材５２（５２Ａ、５２Ｂ）と、電池ボックス５１に組み付けられたスライド操作部材５７とから構成されている。ガイド部材５２は、上述したように金属等の導電性材料によって形成され、一端側を電話機本体２の内壁に形成した複数のガイド凸部５４の貫通穴に貫通されることによって支持され、電池収納部１８に延在されている。このガイド部材５２は、他端側が電池ボックス５１の両側面部に形成されたガイド凸部５６に緩く嵌合されている。したがって、電池ボックス５１は、このガイド部材５２に沿って電池収納部１８から引き出し自在とされる。勿論、ガイド部材５２は、図１４に示すように、一端部が電話機本体２の底面部５に近接する長さ寸法を有している。
【００５８】
ガイド部材５２には、図１４及び図１６に示すように、一端部を配線基板１４に接続された接続端子板５３の他端部が当接されることによってこのガイド部材５２と配線基板１４電気的接続が行われている。また、ガイド部材５２には、電池ボックス５１に設けたガイド凸部５６に支持されたプラス端子５８及びマイナス端子５９の一端部がそれぞれ当接することによって電気的に接続されている。すなわち、これらプラス端子５８及びマイナス端子５９は、それぞれ略Ｌ字状に折曲形成されており、一端部が電池ボックス５１の内部に収納された充電型電池２０の電極に弾接するとともに、電池ボックス５１の側面に沿って外方へ露呈された他端部側に形成した円弧状の接触部５８Ｂ、５９Ｂがガイド部材５２の外周部に弾接されている。したがって、電池ボックス５１に収納された充電型電池２０の電圧は、プラス端子５８、マイナス端子５９−ガイド部材５２−接続端子板５３のルートによって配線基板１４に実装された無線通話ユニット１５或いは通話回路部１７等に供給される。
【００５９】
また、ガイド部材５２には、軸方向に離間して第１のクリック凹部５５Ａと第２のクリック凹部５５Ｂとがそれぞれ周回りの細径部として形成されている。図１７に示すように、第１のクリック凹部５５Ａは、プラス端子５８及びマイナス端子５９の接触部５８Ｂ、５９Ｂに連続する先端部に形成した係合部５８Ｃ、５９Ｃが相対係合することによって電池ボックス５１を電池収納部１８に収納された状態に保持する。また、第２のクリック凹部５５Ｂは、電池ボックス５１がガイド部材５２に沿って電池収納部１８から引き出された状態において、プラス端子５８及びマイナス端子５９の係合部５８Ｃ、５９Ｃが相対係合することによってこの電池ホックス５１を保持する。
【００６０】
スライド操作部材５７は、図１７に示すように、電話機本体２の両側面部に設けた図示しないガイド溝に操作部５７Ａを外方に露呈するようにして組み込まれており、ブロック状の基部５７Ｂに設けた図示しない貫通穴にガイド部材５２が貫通されている。このスライド操作部材５７は、ガイド部材５２が貫通された基部５７Ｂが電池ボックス５１の軸方向に離間して形成されたガイド凸部５６間に位置されるとともに、この基部５７Ｂの先端部にプラス端子５８及びマイナス端子５９の係合部５８Ｃ、５９Ｃに対向するようにして三角カム部が一体に形成されている。
【００６１】
したがって、スライド操作部材５７は、電話機本体２のガイド溝に沿ってスライド操作されることによって、基部５７Ｂに形成した三角カム部が第１のクリック凹部５５Ａ又は第２のクリック凹部５５Ｂと相対係合にあるプラス端子５８及びマイナス端子５９の係合部５８Ｃ、５９Ｃを押圧して係合状態を解除する。また、スライド操作部材５７は、基部５７Ｂが電池ボックス５１に一体に形成されたガイド凸部５６の側面部を押圧することによって、電池ボックス５１をガイド部材５２に沿ってスライド動作させる。
【００６２】
以上のように、実施例携帯型無線電話機５０においては、電話機本体２の電池収納部１８に対して電池ボックス５１を引き出し自在とするスライドガイド機構が、電池ボックス５１と無線通話ユニット１５や通話回路部１７等を実装した配線基板１４との接続端子を兼用することによって、配線構造が複雑となることも無く、また断線等の不都合が生じることも無い。
【００６３】
実施例携帯型無線電話機５０は、上述したように、送話器１３が電池ボックス５１の引出し量分の長さ寸法だけ小ならしめて構成された電話機本体２側に配設されており、この送話器１３と受話器８との間隔が、使用上好ましいとされる間隔に保持されていない。このため、携帯型無線電話機５０は、使用に際して電話機本体２から引き出された電池ボックス５１に一体に形成した送話ガイド部６０が、送話器１３に音声を効率的に導くように作用する。
【００６４】
すなわち、送話ガイド部６０は、電池ボックス５１を電話機本体２の電池収納部１８に収納した状態において、電話機本体２側の主面３から突出露呈しかつ受話器配設部６よりもやや低い高さ寸法を以って、この電池ボックス５１の表面側に略々有底角筒状に一体に膨出形成されている。この送話ガイド部６０には、表面に開口する複数の音孔６１が設けられるとともに、内部で主面３に平行してＬ字状に折曲され電話機本体２側に配設した送話器１３に対向する送話ガイド壁６３に開口する送話ガイド孔６２が設けられている。
【００６５】
送話ガイド部６０の送話ガイド壁６３は、図１９に示すように、中央部を凹部として電話機本体２側に向かって湾曲するとともに電池ボックス５１の内側表面に向かって次第に張り出した全体すり鉢状を呈している。したがって、送話ガイド壁６３は、図２０の矢印に示すように、電池ボックス５１を電話機本体２から引き出した状態において、外部からの音声を集音して送話器１３側へと反射させる作用を奏する。また、音孔６１に入射された音声は、図２０の矢印に示すように、送話ガイド孔６２を介して送話器１３側へと送られる。したがって、電池ボックス５１は、電話機本体２から引き出した状態において、電話機本体２と送話ガイド部６０との間の表示部として作用する内側表面によって構成される空間が音声を送話器１３へと導く送話ガイド空間部６４として作用する。
【００６６】
以上のように、実施例携帯型無線電話機５０においては、携帯性を得るために長さ寸法を小ならしめて構成した電話機本体２側に送話器１３が配設されているが、使用時には、送話ガイド部６０の作用によってこの送話器１３と受話器８とが実質的に好ましい間隔に保持されることになる。また、送話器１３は、電話機本体２側に固定して配設されており、例えば送話器部を引き出し自在に構成した携帯型無線電話機等に採用される複雑な配線処理が不要であり、また断線等の不都合も生じ無い。
【００６７】
実施例携帯型無線電話機５０は、電池ボックス５１が電話機本体２の電池収納部１８に収納された状態と、電池収納部１８から引き出された状態とで使用を可能とするためのフックスイッチ作動機構を備えている。すなわち、電話機は、通常フックスイッチがオン状態（オンフック状態）に設定されていて、相手方からの着信によってトーンリンガ或いは呼出しベル等の呼出し手段が動作可能な状態に設定されている。また、電話機は、着信応答操作或いは発信操作を行うことにより、フックスイッチがオフ状態（オフフック状態）に移行する。このため、携帯型無線電話機においては、一般にフックスイッチを開閉する「通話」キーが備えられている。実施例携帯型無線電話機５０は、この「通話」キーの他に、電池ボックス５１のスライド操作によってオンフック状態とオフフック状態との切り換えが行われる。
【００６８】
実施例携帯型無線電話機５０は、電池ボックス５１の内側表面と対向する配線基板１４の一端部近傍の下面に、両側に位置して一対のスイッチ手段６８（６８Ａ、６８Ｂ）が実装されている。これらスイッチ手段６８は、例えばアークチュエータの押圧操作によって接点動作が自己保持され、次のアークチュエータの押圧操作によってこの接点動作の自己保持状態が解除される、いわゆるプッシュ・プッシュ・タイプスイッチが用いられている。勿論、これらスイッチ手段６８の動作は、電気的に行うように構成してもよい。
【００６９】
また、このスイッチ手段６８を開閉操作する作動部材６９は、電話機本体２に設けた図示しないガイドに組み付けられたボール状を呈しており、後述するスイッチ作動部６６、６７による押圧動作が円滑に行われるように構成されている。これらスイッチ手段６８は、それぞれ配線基板１４の通話回路部１７等と接続されており、第１のスイッチ手段６８Ａが通話時にオンフック状態からオフフック状態への移行を担当し、第２のスイッチ手段６８Ｂが終話時にオフフック状態からオンフック状態への移行を担当する。
【００７０】
電池ボックス５１には、その内側表面のスライド方向に離間した両側に位置して、スイッチ手段６８に対応してそれぞれ断面円弧状の第１のスイッチ作動部６６及び第２のスイッチ作動部６７とが一体に突出形成されている。第１のスイッチ作動部６６は、図２１に示すように、電池ボックス５１が電池収納部１８に完全に収納された状態、すなわち電池ボックス５１のスライドガイド機構を構成するガイド部材５２に形成された第１のクリック凹部５５Ａにプラス端子５８及びマイナス端子５９の係合部５８Ｃ、５９Ｃが相対係合した状態において、第１のスイッチ手段６８Ａの作動部材６９に対してスライド方向の直前に位置されている。また、第２のスイッチ作動部６７は、図２３に示すように、電池ボックス５１が電池収納部１８から引き出されて保持されている状態、すなわち、電池ボックス５１のスライドガイド機構を構成するガイド部材５２に形成された第２のクリック凹部５５Ｂにプラス端子５８及びマイナス端子５９の係合部５８Ｃ、５９Ｃが相対係合した状態において、第２のスイッチ手段６８Ｂの作動部材６９に対してスライド方向の直前に位置されている。
【００７１】
実施例携帯型無線電話機５０は、着信応答或いは発信操作を行うに際して、電池ボックス５１が電話機本体２から引出し操作される。この引出し操作によって、電池ボックス５１は、図２２に示すように、第１のスイッチ作動部６６によって第１のスイッチ手段６８Ａを閉成動作する。これによって、携帯型無線電話機５０は、オンフック状態からオフフック状態へと移行して通話が可能な状態となる。また、実施例携帯型無線電話機５０は、通話が終了すると、電池ボックス５１が電話機本体２に収納される。この収納操作によって、電池ボックス５１は、図２４に示すように、第２のスイッチ作動部６７によって第２のスイッチ手段６８Ｂを閉成動作する。これによって、携帯型無線電話機５０は、オフフック状態からオンフック状態へと移行し、次の着信に備える。
【００７２】
図２５は、実施例携帯型無線電話機５０の通話操作を説明するフローチャートである。ステップ１は、電池ボックス５１の引出し操作が行われたか否かを判断する動作である。ステップ２は、ステップ１において電池ボックス５１の引出し操作が行われていないことが判断された場合に、「通話」キーが操作されているか否かを判断する動作である。この「通話」キーの操作が行われていない場合には、初期状態へフィードバックされる。ステップ３は、ステップ１において電池ボックス５１の引出し操作が行われているとの判断或いは「通話」キーの操作が行われている場合の、オフフック状態への移行動作である。
【００７３】
ステップ４は、オフフック状態において、ワンタッチダイヤル発信モードへの切り換えを行うダイヤル機能キーの操作の有無を判断する動作である。ダイヤル機能キーが操作されている場合にはステップ７のワンタッチダイヤル発信モードへと移行する。また、ダイヤル機能キーが操作されていない場合には、ステップ５へと移行する。ステップ５は、２桁目のダイヤル数字キーの入力時間をチェックする動作である。すなわち、実施例携帯型無線電話機５０は、ダイヤル数字キーが１桁だけ操作される場合にもワンタッチダイヤル発信モードへの切り換えが行われる。２桁目のダイヤル数字キーの入力時間は、タイマーによって計時されて、３秒後にタイムアップとなってワンタッチダイヤル発信モードへの切り換えが行われる。ステップ６は、２桁目のダイヤル数字キーの入力が所定時間内に行われ、ダイヤル数字キー（１０キー）によるダイヤル発信操作である。
【００７４】
ステップ７は、ワンタッチダイヤル発信モード状態において、操作されたキーに対応してメモリーに登録されたワンタッチダイヤル登録電話番号が選択される動作である。ステップ８は、ステップ６による１０キーのダイヤル発信操作或いは選択されたワンタッチダイヤル登録電話番号に対応するパルスの発呼動作である。ステップ９は、被呼者の応答によって通話が開始される動作である。
【００７５】
ステップ１０は、通話が終了して電源ボックス５１が電話機本体２に収納されたか否かを判断する動作である。ステップ１１は、ステップ１０において電池ボックス５１が収納されていないことが判断された場合に、「通話」キーが操作されているか否かを判断する動作である。この「通話」キーの操作が行われていない場合には、ステップ１０へフィードバックされる。ステップ１２は、オンフック状態に移行する動作である。
【００７６】
上述した実施例携帯型無線電話機５０においては、「通話」キーを備えた場合を示したが、この「通話」キーを省略して電池ボックス５１によって開閉されるスイッチ手段６８のみによって、フックスイッチを構成することができることは勿論である。また、スイッチ手段６８については、上述した構造ばかりでなく、例えば電話機本体８と電池ボックス５１とに相対して配設するホールＩＣと磁気手段或いはリーフスイッチと作動カム等の適宜のスイッチ手段によって構成することも可能である。
【００７７】
【発明の効果】
以上詳細に説明したように、本発明に係る携帯型無線電話機によれば、電源電池の装填或いは交換等に際して電話機本体から引出し操作される電池ボックスを利用して電話番号、短縮登録電話番号或いはワンタッチダイヤル登録電話番号等を記載表示する記載表示部を構成したことにより、ダイヤルキー等の操作部の充分なスペースを確保しながら使い勝手の大幅な向上が図られる。また、記載表示部は、通常は外方に露呈されていないため、第三者に見られることもなく秘密性が保持されるとともに、使用時にはダイヤル配設面側に表示されるため、自然な状態でダイヤル操作を行うことができ、誤ダイヤル操作が防止される。
【００７８】
また、本発明に係る携帯型無線電話機によれば、通話特性を保持して電話機全体の小型化が図られ、また操作性も損なわれることも無い。さらに、使用に際して電話機本体から引き出された電池ボックスに一体に形成した送話ガイド部が、送話器に音声を効率的に導くことができる。
【図面の簡単な説明】
【図１】  本発明の参考例となる携帯型無線電話機の正面図である。
【図２】  同携帯型無線電話機の内部機構を模式的に示した説明図である。
【図３】  同携帯型無線電話機において、電話機本体から電池蓋を引き出した状態の正面図である。
【図４】  同携帯型無線電話機において、電話機本体から電池蓋を引き出した状態の内部機構を模式的に示した説明図である。
【図５】  本発明の参考例となる別の携帯型無線電話機の正面図である。
【図６】  同携帯型無線電話機の内部機構を模式的に示した説明図である。
【図７】  同携帯型無線電話機において、電話機本体から電池ボックスを引き出した状態の正面図である。
【図８】  同携帯型無線電話機において、電話機本体から電池ボックスを引き出した状態の内部機構を模式的に示した説明図である。
【図９】  本発明の参考例となるさらなる別の携帯型無線電話機の正面図である。
【図１０】  同携帯型無線電話機の内部機構を模式的に示した説明図である。
【図１１】  同携帯型無線電話機において、電話機本体から電池ボックスを引き出した状態の正面図である。
【図１２】  同携帯型無線電話機において、電話機本体から電池ボックスを引き出した状態の内部機構を模式的に示した説明図である。
【図１３】  本発明の実施例である携帯型無線電話機の正面図である。
【図１４】  同携帯型無線電話機の内部機構を模式的に示した説明図である。
【図１５】  同携帯型無線電話機において、電話機本体から電池ボックスを引き出した状態を一部切り欠いて示した正面図である。
【図１６】  同携帯型無線電話機において、電話機本体から電池ボックスを引き出した状態の内部機構を模式的に示した説明図である。
【図１７】  同携帯型無線電話機において、電池ボックスを電話機本体から引き出すためのスライドガイド機構の構成を説明する図である。
【図１８】  同携帯型無線電話機において、電池ボックスに形成された音声ガイド部の音道構造を説明する図である。
【図１９】  同携帯型無線電話機において、電池ボックスを電話機本体から電池ボックスを引き出した状態の要部を正面側から示した説明図である。
【図２０】  同携帯型無線電話機において、電池ボックスを電話機本体から電池ボックスを引き出した状態の要部を断面して示した説明図である。
【図２１】  同携帯型無線電話機において、電池ボックスを電話機本体に収納した状態における、フックスイッチのオンフック状態を説明するために要部を断面して示した説明図である。
【図２２】  同携帯型無線電話機において、電池ボックスを電話機本体に収納した状態における、フックスイッチのオフフック状態を説明するために要部を断面して示した説明図である。
【図２３】  同携帯型無線電話機において、電池ボックスを電話機本体から引き出した状態における、フックスイッチのオンフック状態を説明するために要部を断面して示した説明図である。
【図２４】  同携帯型無線電話機において、電池ボックスを電話機本体から引き出した状態における、フックスイッチのオフフック状態を説明するために要部を断面して示した説明図である。
【図２５】  同携帯型無線電話機の通話操作を説明するフローチャートである。
【符号の説明】
１、３０、４０、５０ 携帯型無線電話機
２  電話機本体
３  主面
８  受話器
９  ダイヤルキー
１３  送話器
１８  電池収納部
２０  充電型電池
２１  電池蓋
２２、３４、４６、６５  表示片
３１、４１、５１  電池ボックス
３３、４３  内側表面
４４  送話器配設部
５２  ガイド部材
５７  スライド操作部材
６０  送話ガイド部
６１  音孔
６３  送話ガイド壁
６４  送話ガイド空間部
６６、６７  フックスイッチ作動部
６８  フックスイッチ
【図１】
0003674055.tif 000002
【図２】
0003674055.tif 000003
【図３】
0003674055.tif 000004
【図４】
0003674055.tif 000005
【図５】
0003674055.tif 000006
【図６】
0003674055.tif 000007
【図７】
0003674055.tif 000008
【図８】
0003674055.tif 000009
【図９】
0003674055.tif 000010
【図１０】
0003674055.tif 000011
【図１１】
0003674055.tif 000012
【図１２】
0003674055.tif 000013
【図１３】
0003674055.tif 000014
【図１４】
0003674055.tif 000015
【図１５】
0003674055.tif 000016
【図１６】
0003674055.tif 000017
【図１７】
0003674055.tif 000018
【図１８】
0003674055.tif 000019
【図１９】
0003674055.tif 000020
【図２０】
0003674055.tif 000021
【図２１】
0003674055.tif 000022
【図２２】
0003674055.tif 000023
【図２３】
0003674055.tif 000024
【図２４】
0003674055.tif 000025
【図２５】
0003674055.tif 000026